Podtech/llm-jp-corpus-v4-ja_patent huggingface dataset:
(57)【要約】      （修正有）【課題】商品陳列用の層架と組み合せ、商品を適宜、層架前方に補充できる支承構造を提供する。【解決手段】トラック１１と、少なくとも一つの可動支承板１２と、弾性素子１３と、少なくとも一つの定位素子１４と、からなる。トラックは物品を配置する主体で、可動支承板は、トラック上に設置されて、物品を支承する。弾性素子はトラックと可動支承板間に連接されて、可動支承板をトラック前方に移動する作用力を構成する。少なくとも一つの定位素子は、トラック底部に設置されて、トラックを層架上に固定し、層架と結合し、物品を層架前方に補充することができる。【選択図】図２
0003148164.tif 000002
【実用新案登録請求の範囲】
【請求項１】
支承器であって、
薄型棒状体で、物品を配置する主体となるトラックと、
前記トラック上に設置され、前記トラックに沿って往復移動して、前記トラック上の物品を支承する可動支承板と、
前記トラックと前記可動支承板間に連接され、前記可動支承板を前記トラック前方にシフトする作用力を構成する弾性素子と、
前記トラック底部に設置されて、前記トラックを前記層架上に固定する少なくとも一つの定位素子と、からなることを特徴とする支承器。
【請求項２】
前記トラックの頂面両側は、縦向けに延伸した凸辺を有し、物品と前記トラック間の摩擦抵抗を減少させることを特徴とする請求項１に記載の支承器。
【請求項３】
前記支承器は、両側に仕切り板を使用し、前記仕切り板底部は、前記トラック底部と相同の定位素子を設置することを特徴とする請求項１に記載の支承器。
【考案の詳細な説明】
【技術分野】
【０００１】
本考案は、支承装置に関するものであって、特に、層架と最適な結合性を形成し、物品を層架前方に補充できる支承器構造に関する。
【背景技術】
【０００２】
一般に、量販店やコンビニでは、陳列層架により物品を陳列し、層架は、鉄材質の層架に物品を置き、物品を縦列させるように層架に配置する。単一層層架に異なる物品を配置すると、物品が整理できず乱雑になってしまう。よって、図１の仕切り板１構造が開発され、仕切り板１により、物品間を仕切って、物品を配置しているが、仕切り板１は、直接、鉄材質層架上に置いて使用し、仕切り板１底面と層架の接触面積が小さく、滑動しやすく、且つ、物品の補充機能はない。
【考案の開示】
【考案が解決しようとする課題】
【０００３】
本考案の目的は、層架と最適な結合を形成し、物品を層架前方に補充できる支承器構造を提供し、上述の問題を改善することにある。
【課題を解決するための手段】
【０００４】
本考案の支承器構造は、トラックと、少なくとも一つの可動支承板と、弾性素子と、少なくとも一つの定位素子と、からなる。トラックは物品を配置する主体で、可動支承板は、トラック上に設置されて、物品を支承する。弾性素子はトラックと可動支承板間に連接されて、可動支承板をトラック前方に移動する作用力を構成する。少なくとも一つの定位素子は、トラック底部に設置されて、トラックを層架上に固定し、層架と最適な結合性を形成し、物品を層架前方に補充することができる。
【考案の効果】
【０００５】
本考案の支承器構造により、層架と最適な結合を形成し、物品を層架前方に補充できる。
【考案を実施するための最良の形態】
【０００６】
本考案の支承器構造１０は、図２で示されるように、トラック１１、少なくとも一つの可動支承板１２、弾性素子１３、及び、定位素子１４、からなる。
【０００７】
トラック１１は薄型棒状体で、主に、物品を配置する主体である。可動支承板１２はトラック１１上に設置され、トラック１１に沿って後移し、トラック１１上の物品を支承する。弾性素子１３は、トラック１１と可動支承板１２間に連接され、可動支承板１２が、トラック１１前方にシフトする作用力を生成する。少なくとも一つの定位素子１４は、トラック１１底部に設置されて、トラック１１を層架上に固定する。
【０００８】
実施時、少なくとも一つの定位素子１４は、図２のように、トラック１１底部に嵌設される磁石、或いは、図３のように、トラック１１底部に粘着される磁性ゴム、或いは、止滑ゲルにより構成される。トラック１１の頂面両側は、縦向けに延伸した凸辺１１１により、物品とトラック１１間の摩擦抵抗を減少させる。
【０００９】
本考案の支承器の使用時、図４で示されるように、磁性ゴムか止滑ゲルにより構成される定位素子１４により、トラック１１が非鉄製の層架２０にしっかりと固定される。或いは、図５のように、磁石（或いは、磁性ゴム）により構成される定位素子１４により、トラック１１を鉄製の層架２０上にしっかりと固定する。
【００１０】
支承器１０は、トラック１１を物品を配置する主体とし、可動支承板１２、及び、弾性素子１３により物品を層架２０前方に推し、層架２０前方の物品が取り出されると、後方の物品が層架２０前方に補充され、物品を整然と層架２０上に配置し、消費者が物品を取りやすくなる。各支承器１０は、両側に仕切り３０を使用することもでき、物品の仕切り効果を増加し、仕切り板３０底部に、トラック１１底部と相同の定位素子１４を設置して、仕切り板３０の定位効果を増加する。
【図面の簡単な説明】
【００１１】
【図１】公知の仕切り板の立体外観図である。
【図２】本考案の第一実施例による支承器の構造分解図である。
【図３】本考案の第二実施例による支承器の構造分解図である。
【図４】本考案の支承器の使用参考図である。
【図５】本考案の支承器のもう一つの使用参考図である。
【符号の説明】
【００１２】
１      仕切り板
１０    支承器
１１    トラック
１１１  凸辺
１２    可動支承板
１３    弾性素子
１４    定位素子
２０    層架
３０    仕切り板
【図１】
0003148164.tif 000003
【図２】
0003148164.tif 000004
【図３】
0003148164.tif 000005
【図４】
0003148164.tif 000006
【図５】
0003148164.tif 000007
(57)【要約】      （修正有）【課題】脱毛・薄毛のかたの為に肌触り良く、締め付けず、毛髪がないことを悟られないよう生え際から襟足まですっぽりと覆い隠せて且つ立体感をもたせることでふんわりとした見た目を得られる帽子を提供する。【解決手段】やわらかい布体を使用することで、肌触りの良さと伸縮性を得ることができ、左右のタックを非対称とすることで独特の立体感をもたせ且つ生え際・襟足まで自然に隠すことができる。また上部２枚合わせのタックをとることにより、毛髪のない頭部を自然にカバーし頭の形が露わにならない。【選択図】図１
0003148197.tif 000002
【実用新案登録請求の範囲】
【請求項１】
上部の角を取るように裁断した布体の両脇に少なくとも１以上のタックを設け、該布体を２枚重ねた状態で上部に少なくとも１以上の上部タックを設けつつ、上部及び両脇を縫い合わせることにより立体感を作り出し、頭部を締め付けずに生え際・もみあげ・襟足をすっぽりと覆うことのできる構造を特徴とする脱毛・薄毛用帽子。
【請求項２】
前述において、布体を２枚重ねた際に対向する両脇に設けられたタックが非対称に設けられていることを特徴とする請求項１に記載の脱毛・薄毛用帽子。
【考案の詳細な説明】
【技術分野】
【０００１】
本考案は、布体で立体感をもたせた帽子に関するものである。
【背景技術】
【０００２】
病気・怪我・ストレス等で脱毛・薄毛になった場合、従来の帽子では気になるもみあ  げ・襟足を隠すことができない。また、ぴったりしたデザインでは頭部の形が露わにな  り毛髪がないことが分かってしまう。毛糸素材ではチクチクする。かつらでは不自然。  締めつけの強いものは長時間着用できないなどの問題点があった。
【考案の開示】
【考案が解決しようとする課題】
【０００３】
頭皮に直接触れることを考慮し、肌に優しい素材で且つ締めつけ感がなく長時間の着  用に耐えられる。また、立体感のあるデザインにすることにより頭部全体を隠せて毛髪  が無いことを悟られないようにすることにより前述の問題点を解消するものである。
【課題を解決するための手段】
【０００４】
長方形の布体の上部の角を取るように半円形に裁断したものを２枚作り、左右に非対  称のタックを少なくとも１本ずつとる。２枚を合わせ上部にタックを少なくとも1本と  り縫い合わせる。下部開口部は折り返し、表から見えないように止める。これにより従  来品には無いかぶり心地をもち、気になる部分を隠し、ふんわり感のある仕上がりとな  り問題点を解決している。
【考案の効果】
【０００５】
上述のように、本考案の帽子は素材の選択・構造上の工夫により従来品には無い肌触  り、着け心地の良さ、見た目の良さを実現している。
【考案を実施するための最良の形態】
【０００６】
上部を半円形とした布体の両脇に３本のタックを設け、該布体を２枚重ねた状態で上  部に少なくとも３本の上部タックを設けつつ、上部及び両脇を縫い合わせる。これによ  り独自の立体感を作り出し、頭部を締め付けずに生え際・もみあげ・襟足をすっぽりと  覆い毛髪のない頭部の形を良く見せることのできる構造が可能となる。
また、布体を２枚重ねた際に対向する両脇に設けられたタックが非対称に設けられて  いることによりおでこ・後頭部をふっくらと見せることができる。
【実施例】
【０００７】
以下、添付図面に従って説明する。１は開口部、２は右側タック（上向き）、３は左  側タック（下向き）で左右非対称とすることにより前後の立体感を形成している。４は  上部タックで２枚重ねてたたむことにより、後頭部の立体感を形成している。
【図面の簡単な説明】
【０００８】
【図１】本考案の脱毛・薄毛用帽子の正面図である。
【図２】本考案帽子の左右タック・上部タックのたたみ方図である。
【符号の説明】
【０００９】
１  下部開口部
２  右側タック
３  左側タック
４  上部タック
５  折り返し部分
【図１】
0003148197.tif 000003
【図２】
0003148197.tif 000004
(57)【要約】      （修正有）【課題】半襟への衿芯の着脱が容易に行え、長襦袢の衿をしっかりと形良くまとめ、未使用時の収納をコンパクトにできる衿芯の構造を提供することを課題とする。【解決手段】衿芯本体１の形状を中央部から左右に向かって傾斜を設け、左右の先端形状を略三角形とし、片側の先端部には帯状の短いベルト３が取り付けられ、反対側の先端部には帯状の長めのベルト２が取り付けられ、長めのベルトには、その表裏にそれぞれ凹型スナップ４および凸型スナップを取り付ける。【選択図】図１
0003148107.tif 000002
【実用新案登録請求の範囲】
【請求項１】
樹脂性の平板にて、巾略４５ｍｍ、長さ略８５０ｍｍとした帯状の本体を形成し、本体中央部から左右に向かってなだらかな傾斜を設けた形状とし、左右の先端形状を略三角形とし、片側の先端部には、長さ２ｃｍ前後の短い帯状のベルトが取り付けられ、反対側の先端部には長さ１５〜１８ｃｍの帯状のベルトが取り付けられ、このベルトの付け根側正面部と、先端側背面部に留め具が取り付けられたことを特徴とする衿芯。
【請求項２】
本体にネット状の樹脂を使用したことを特徴とする請求項１記載の衿芯。
【考案の詳細な説明】
【技術分野】
【０００１】
本考案は着脱が容易でコンパクトに収納可能な衿芯に関する。
【背景技術】
【０００２】
着物の着付けを概略説明すると、先ず肌着、腰巻を地肌にまとい、次に長襦袢を着て、その上に着物を着て帯を巻くことで着付けが完了する。
長襦袢着用の際には、衿が直接汚れることを防止するため、半衿を長襦袢の衿を包むように袋状に取り付け、長襦袢の衿をしっかりと形良くまとめるために、半衿の中に衿芯を通している。この衿芯の素材には、かつては厚手の木綿を使用していたが、最近では樹脂性の薄手の板を使用することが主流となっている。
【０００３】
図７は、現在販売されている衿芯の正面図であるが、その形状は直線的で先端形状は半円状であり、半衿に通すときに通しにくく、また外すときに先端を掴むことが困難であるため、衿芯の着脱に苦慮している。更に未使用時の保管においても、形状が細長いことから保管場所や保管方法にも苦慮している。特開２００４−３１５９７９において、衿芯を３分割して半衿にそれぞれを装着後、付属の磁石で結合する構造が記載されているが、結合部分での衿の乱れが予想され、形よくまとめるものとしては課題が残る。
【特許文献１】特開２００４−３１５９７９号
【考案の開示】
【考案が解決しようとする課題】
【０００４】
半襟への衿芯の着脱が容易に行え、長襦袢の衿をしっかりと形良くまとめ、未使用時の収納をコンパクトにできる衿芯の構造を提供することを課題とする。
【課題を解決するための手段】
【０００５】
本考案は前述の課題を解決するために考案されたもので、衿芯本体の形状を中央部から左右に向かって傾斜を設け、左右の先端形状を略三角形とし、片側の先端部には帯状の短いベルトが取り付けられ、反対側の先端部には帯状の長めのベルトが取り付けられ、長めのベルトには留め具が取り付けられたことを特徴とする。
【考案の効果】
【０００６】
先端部に取り付けられた左右のベルトにより、取り外し時にこのベルトを摘むことで容易に取り出すことが可能となる。また、収納時はこの短いベルトが付いた側を内側にして、衿芯をロール状に丸めて、反対側に取り付けられた長めのベルトを巻きつけ、留め具で固定することで、コンパクトに収納することが可能となる。
【０００７】
本体の先端形状が略三角形であるため、半衿に挿入するときに挿入し易く、衿芯の形状が、中央部から左右に向かって傾斜をもっていることで、長襦袢着用時の衿形状がしっかりと形良くまとめることが可能となる。
【考案を実施するための最良の形態】
【０００８】
本考案の構成について、実施例を基に図面を引用して説明する。
【実施例１】
【０００９】
図１は本考案の正面図である。樹脂性の平板にて、巾略４５ｍｍ、長さ略８５０ｍｍとした帯状の本体を形成し、本体中央部から左右に向かって傾斜角３度程度のなだらかな傾斜を設けた形状とする。左右の先端形状は、略三角形としやや鋭角的な形状とするが、最先端部は丸みを持たせる。樹脂性平板の厚みは材質にもよるが、１〜２ｍｍくらいがよい。
【００１０】
片側の先端部には、長さ２ｃｍ前後の短い帯状のベルトが取り付けられ、反対側の先端部には長さ１５〜１８ｃｍの帯状のベルトが取り付けられ、このベルトの付け根側正面部と先端側背面部には留め具が取り付けられる。
これら帯状のベルトが、衿芯取り外し時の掴み部となり、取出しが容易となる。
帯状のベルトに取り付けられる留め具は、スナップボタンや面ファスナー等がある。    
【００１１】
本体は樹脂性の平板で構成しているが、ネット状の物でもよく、特に夏場は通気性のよいネット状が適している。本体の縁部を布などで覆うよう縫い付けてもよい。
【００１２】
本体の先端部に取り付ける帯状のベルトは、綿や絹などの布が望ましいが、耐久性のある樹脂や皮などでもよい。帯状のベルトの取り付けは、綿製または絹製の糸にて、手縫いまたはミシン等による機械縫いで行う。
【００１３】
本体を丸めて収納する時は、短いベルトが付いた側を内側にして、衿芯をロール状に丸めて、長い方の帯状のベルトで外周を一周巻きにして、留め具で固定する。
【産業上の利用可能性】
【００１４】
この衿芯は工業生産が可能であり、あらたな着付け用品として、供給者において生産、販売が可能であり、着付け教室での利用も可能である。
【図面の簡単な説明】
【００１５】
【図１】本考案の正面図
【図２】本考案の背面図
【図３】本考案の平面図
【図４】本考案の底面図
【図５】本考案の右側面図
【図６】本考案の左側面図
【図７】従来品の正面図
【符号の説明】
【００１６】
１  本体
２  帯状のベルト（長）
３  帯状のベルト（短）
４  凹型スナップ
５  凸型スナップ
【図１】
0003148107.tif 000003
【図２】
0003148107.tif 000004
【図３】
0003148107.tif 000005
【図４】
0003148107.tif 000006
【図５】
0003148107.tif 000007
【図６】
0003148107.tif 000008
【図７】
0003148107.tif 000009
(57)【要約】      （修正有）【課題】装飾部と止め具を分離し、その間にフックを設けることにより装飾部を適宜変更できるカフスボタンを提供する。【解決手段】スイベル式カフスボタンのコの字形の脚柱３の開いた先端部分にスイベル１（回転式止桿或いは回転式留棒）を両脚柱間にわたる枢軸により固定したものを材料にして、コの字形脚柱のスイベルの反対側の根元にフック４を飾りボタン６に向けて係合固定する。使用に当っては、先ず飾りボタン６の脚部の円弧部分５にフック４を引っ掛ける、次いで枢軸２を中心としてスイベル１を回してコの字形脚柱に対して一直線状にして、カフスボタンホール８から外側へ通す、次いでスイベル１を９０度回転してカフスボタンホール８に係止することによって装着は完了する。【選択図】図１
0003148173.tif 000002
【実用新案登録請求の範囲】
【請求項１】
スイベル式カフスボタンのスイベル部とそれを支持するコの字形脚柱の根元に、係合用フックをスイベル部と反対方向にむけて接合固定した、飾りボタンの着脱可能な、スイベル式カフスボタンの改良止め具。
【考案の詳細な説明】
【産業上の利用分野】
【０００１】カフスボタン。
【背景技術】
【０００２】  本考案と類似の技術は現在存在しない。
従来のカフスボタンは装飾部分のカフスシャツへの固定法の違いで種々ある。即ち、現在世界でもっとも広く使われているＴ字型の可動式バネで止めるスイベル式は、１９２４年に英国のボイヤー氏の考案になるものである。次いで、鎖で止めるチェインリンク式、鼓型のフイックスト式、スナップ式、バーベル式等あるが全てが装飾部と止め具が一体化されている。
【考案が解決しようとする課題】
【０００３】  従来のカフスボタンは装飾部と止め具が一体化されており装飾部を簡単に外し変えることが出来ない欠点がある。
【課題を解決するための手段】
【０００４】  本考案は止め具と装飾部を切り離して、止め具と装飾部の間にフックを設けることによって装飾部を自由に変えられるようにした。
本考案は、留め具として広くカフスボタン用に使われている先述のスイベル式カフスボタン（英文でＢｕｌｌｅｔ  ｂａｃｋ  ｃｌｏｓｕｒｅ又は  Ｓｗｉｖｅｌ  ｔｙｐｅ  ｃｕｆｆｌｉｎｋｓ）の止め具構造を利用した。即ちスイベル式カフスボタンのコの字形の脚柱の開いた先端部分にスイベル（回転式止桿或いは回転式留棒）を両脚柱間にわたる枢軸により固定したものを材料にして、コの字形脚柱のスイベルの反対側の根元にフックを飾りボタンに向けて係合固定したものである。
フックはクラスプまたはフックの名称でボタン材料店で販売しているものが使用できる、フックはその形態によってナスカン、カニカン、引き輪等に分類されているが鋼線のバネの反撥性を利用し引っ掛け部に係合力を与える機構は皆似ている。
図１に示したフック４−コの字形脚柱３−スイベル１より構成される本実用新案の止め具の使用方法は、先ず飾りボタン６の脚部の円弧部分５にフック４を引っ掛ける、次いで枢軸２を中心としてスイベル１を回してコの字形脚柱に対して一直線状にして、カフスボタンホール８から外側へ通す、次いでスイベル１を９０度回転してカフスボタンホール８に係止することによって装着は完了する。
【考案の効果】
【０００５】  本考案によりカフスボタンの飾りボタン部を個人の好みで種々自由に選べるようになる。一方カフスボタンの掛け方は、従来のスイベル式のカフスボタンと同じで良くなんら不便性は無い。また使用安定性も良い。
【図面の簡単な説明】
【０００６】
【図１】  本考案に係わる飾りボタンとフック−コの字形脚柱−スイベルより構成される装身用止め具の一部切断側面図
【符号の説明】
【０００７】１．        スイベル
２．        枢軸
３．        コの字形脚柱
４．        フック先端部
５．        飾りボタン脚
６．        飾りボタン
７．        シャツ袖生地
８．        カフスボタンホール
【図１】
0003148173.tif 000003
(57)【要約】      （修正有）【課題】バス発着所の広場に屋根を設けたプラットホーム状のバス発着所に、ディスプレイ及び着脱自由の広告板の広告取着部を装設し、無線及び有線によりネット配信センターより配信をして広告をする広告宣伝用バス停留装置を提供する。【解決手段】数本の支柱によって屋根を支持し、屋根の内部に画像表示部と、並列してフィルム広告板及び着脱自在の広告板との広告取着部を装設し、且つ屋根の上部に発電用のソーラーパネルと蓄電器とを装設することによって、太陽光発電のみの使用、又は太陽光発電と通常電気の２種の電気を使用する事を特徴とするものである。【選択図】図１
0003148174.tif 000002
【実用新案登録請求の範囲】
【請求項１】
屋根（１）は、数本の支柱（２）（２）によって支持固定し、該屋根（１）には、内面の所定位置に画像表示部（３）を装着し、該画像表示部（３）と並設してフィルム広告板の広告取着部（４）と、着脱自在の広告板の広告取着部（５）とを装設したことを特徴とするバス発着所の広告宣伝用バス停留装置。
【請求項２】
請求項１記載の屋根（１）の上部の所定位置に発電用のソーラーパネル（６）と蓄電器（７）とを装設した請求項１のバス発着所の広告宣伝用バス停留装置。
【考案の詳細な説明】
【技術分野】
【０００１】  本考案は、バス停留所の広告塔に関するものではなく、バスの発着する広場等にプラットホーム形状に形成されたバス発着所にディスプレイ及び着脱自在の広告板を設けたバス発着所の広告宣伝用バス停留装置に関するものである。
【背景技術】
【０００２】  従来この種のバス発着所が設置されている広場に設けたバス発着場所には、時刻表のみが表示されているが、各種の宣伝、広告に対する表示が何等実施されてなく、非常に寂しいものであると共に、空間を充分に使用しないことは無駄となる問題点がある。
【考案の開示】
【考案が解決しようとする課題】
【０００３】  本考案は、上記の問題点を解決するものであって、その目的とする所は、支柱の上部に屋根を設置すると共に、屋根の内部に画像表示部を設けて画像の配信による広告をする。また、取換自在となる広告板又は透明性のフィルムよりなる広告板を装設するものであって、宣伝広告を充分に実施出来るようにしたものである。更に、屋根の上部に太陽光を利用したソーラーパネルと蓄電器を装設することによって、電気を供給できるようにしたバス発着所の広告宣伝用バス停留装置を提供するものである。
【課題を解決するための手段】
【０００４】  本考案のバス発着所の広告宣伝用バス停留装置においては、支柱の上部に各種形状の屋根を設置して乗客が雨に濡れるのを防止し、屋根の内部に画像の配信による広告をする画像表示部を設置する。また、画像表示部と並設して、透視性のフィルムよりなる広告板の広告取着部と、取換自在となる各種の広告板の広告取着部とを各々装設してある。
さらに、該屋根の上面には、発電用のソーラーパネルを装設すると共に、蓄電器を装設してある。
【考案の効果】
【０００５】  本考案は、上記のように構成されているので、広々とした屋外のバス発着所に支柱により屋根を設置したので、乗客が雨に濡れず、且つ数本の支柱に画像表示部を設けたので、専用受信機、パーソナルコンピューター、携帯電話機能を備え付けて無線及び有線によるネット配信センターにより配信して広告ができると云う効果がある。
また、フィルム広告板の広告取着部を設けたことにより、常時フィルムの差し替えが自由にできる便利な効果と、着脱自在の広告板の広告取着部によっては、各種の広告板を自在に取換できると云う便利な効果もある。更に、屋外の上部に設置したソーラーパネル及び蓄電器によっては、電源は太陽光発電のみでも使用できる節電型となると共に、太陽光発電と通常の電気との２種が使用できると云う便利な効果がある。
【考案を実施するための最良の形態】
【０００６】  次に、本考案の用法を説明すると、屋根の内部に装設されている画像表示部によって、無線及び有線によるネット配信センターより配信された各種の広告と宣伝を自由に常時見ることができ、大変に便利となる。また、フィルムの広告板及び差替自在の広告板は、常時自由に取換えて変更できるものである。
そして、使用する電気は、ソーラーパネル及び通常の電気のため、節電できると共に、特に夜間等においても、画像表示部及び各種の取着部に取付ける広告板の照明を確実にするものである。
【実施例】
【０００７】  本考案の実施例を図面について説明すると、図１〜図３において、バス発着所の広場に複数の支柱（２）（２）…を以って、屋根（１）を設置する。雨で濡れない内側に面像表示部（３）を装設する。該画像表示部（３）には、専用受信機、パーソナルコンピューター及び携帯電話機能を備え付けて無線及び有線によりネット配信センターより配信して各種の広告をするものである。
また、該画像表示部（３）と並設して、透視性のフィルム形式よりなる広告板を差替自在とした広告取着部（４）と、他の広告を自由に着脱できる広告取着部（５）を装設してある。符号（９）は、該屋根（１）の側面側又は背面側に設けてあるバスの時刻表を記載した広告塔を示したものである。
また、図４と図５において、屋根（１）の上面に装設した各種形状の太陽光の発電用のソーラーパネル（６）と、該ソーラーパネル（６）の近傍に蓄電器（７）を装設したものである。符号（８）は、必要に応じて構成するコンクリート等よりなる基礎部を示したものである。
【図面の簡単な説明】
【０００８】
【図１】  本考案の全体の斜面図である。
【図２】  本考案の一部欠除した正面図である。
【図３】  同じく本考案の縦断側面図である。
【図４】  本考案の装置の上面にソーラーパネルを装設した一部欠除した正面図である。
【図５】  同じく本考案の図４の縦断側面図である。
【符号の説明】
【０００９】１          屋根
２          支柱
３          画像表示部
４、５      広告取着部
６          ソーラーパネル
７          蓄電器
８          基礎部
９          広告塔
【図１】
0003148174.tif 000003
【図２】
0003148174.tif 000004
【図３】
0003148174.tif 000005
【図４】
0003148174.tif 000006
【図５】
0003148174.tif 000007
(57)【要約】      （修正有）【課題】筒状ベルトと把持具の組み合せ構造により、小さな力で容易に把持できる容器ホルダを提供する。【解決手段】合成樹脂軟質の形成された厚さ０．３ｍｍの平板シートと、合成樹脂硬質の厚さ３ｍｍの成型された把持具３ａ，３ｂを組合せた後、軟質シートを熱圧着しシートを筒状にした容器ホルダー１とする。内容量が多い容器には重量を考慮して、平板シート・把持具共に金属製とする。上記容器ホルダーを把持すると把持具の略中央部４で曲折させ、同時に筒状ベルトと把持具の組合せによるテコの応用が発生して把持部３ａ・３ｂが起立し、筒状ベルト２、が引寄せられ容器に密着し、把持具の曲折部が筒状ベルトの内側に押込まれ曲折４部にて容器に押しつけられて固定される。【選択図】図１
0003148177.tif 000002
【実用新案登録請求の範囲】
【請求項１】
筒状ベルトの円周上の一部を巾方向の両側に切欠いた切欠部を有する容器保持具と、略中央部に曲折部を設け該曲折部を挟んで両側に設けた貫通孔を有する把持具と、からなり該貫通孔に前記筒状ベルトの切欠部を通したことを特徴とする容器ホルダー。
【請求項２】
筒状ベルトの円周上の一部を巾方向の両側に切欠いた切欠部を有する容器保持具と、丁番の略中央部の曲折部を挟んで両側に設けた貫通孔を有する把持具と、からなり該貫通孔に前記筒状ベルトの切欠部を通したことを特徴とする容器ホルダー。
【請求項３】
筒状ベルトの円周上の一部を巾方向の両側に切欠いた切欠部を有する容器保持具と、曲折部が無い略中央部を挟んで両側に貫通孔を有する把持具と、からなり該貫通孔に前記筒状ベルトの切欠部を通したことを特徴とする容器ホルダー。
【考案の詳細な説明】
【技術分野】
【０００１】本考案は筒状ベルトと把持具を組合せ完成した本ホルダーを容器に装着して把持具を把持すると組合せの原理からテコの応用が発生して小さい力で容易に把持出来る容器ホルダーである。
【背景技術】
【０００２】内容量が充填された容器は小児や高齢者には重量や結露水などで、すべり落して破損させる事が間々あった。
【考案の開示】
【考案が解決しようとする課題】
【０００３】充填された容器を落して、破損などで内容液の流出や足などを負傷するなどの欠点を解決しようとするものである。汎用容器に対応する。【０００４】この取手付容器ホルダーの提案されている例えば（特許文献１）参照
【特許文献１】特開２００２−２２５８７３上記従来技術は容器に取付ける迄のホルダーの組付手段が複雑でホルダーに容器を挿入しても把握力が弱く使用には難点があった。
【課題を解決するための手段】
【０００５】合成樹脂軟質の形成された厚さ０．３ｍｍの平板シート９と合成樹脂硬質の厚さ３ｍｍの成型された把持具〔図３〕を組合せた後、軟質シートの６ａと６ｂを熱圧着しシートを筒状にした容器ホルダーである。内容量が多い容器には重量を考慮して、平板シート・把持具共に金属製とする。
【考案の効果】
【０００６】上記容器ホルダーを把持すると把持具の略中央部が曲折〔図８〕の４、すると同時に筒状ベルトと把持具の組合せによるテコの応用が発生して把持部３ａ・３ｂが起立つ事によって筒状ベルト２、が引寄せられ容器に密着し、把持具の曲折部が筒状ベルトの内側に押込まれ〔図８〕４、にて容器を押しつけ固定する。
【考案を実施するための最良の形態】
【０００７】液体容器を直立させて、その上部より、本ホルダーをはめ込んで容器の中程の位置に装着〔図１４〕〔図１５〕後、手を離しても容器とホルダー間の透間は僅少なので、その位置に留まり、すべり落ちる事はない。本ホルダーを容器より外す場合は装着時の逆の行為で、なめらかに上に移動出来て容易に取外せる。
【実施例】
【０００８】本ホルダーの使用形態は〔図１４〕と〔図１５〕のごとく容器に装着した状態で容器から内容液を注ぐ様で把持具は〔図３〕〔図６〕と〔図１１〕のようにコンパクトな形容で年齢を問わず、小さい力で楽に把持できる使用状態〔図１４〕、〔図１５〕から把持をやめると筒状ベルトが元の筒状に戻る力によって〔図２〕の形態になる。把持している手〔図１４〕と〔図１５〕は仮想線での実施表示である。
【産業上の利用可能性】
【０００９】本ホルダーは軽量で、大量生産が容易で安価に製造出来て汎用に利用でき容器は、丸、角、楕円、等に対応可能である。
【図面の簡単な説明】
【００１０】
【図１】本考案の実施例を示す外観斜視図である。
【図２】本容器ホルダーの平面図である。
【図３】本容器ホルダーの把持具の正面図である。
【図４】本容器ホルダーの把持具の平面図である。
【図５】リングベルトに加工前の平板シートを形成加工した平面図である。
【図６】本容器ホルダーの丁番把持具の正面図である。
【図７】同上丁番把持具の平面図である。
【図８】丁番把持具使用の本容器ホルダーの平面図である。
【図９】把持具に平板シートを組合せる手順（案内矢印の実線は把持具をまたぎ、点線はくぐらせる）。
【図１０】把持具と平板シートを組合せた形態である。
【図１１】略中央部に曲折部がない把持具である。
【図１２】上記曲折部のない把持具の平面図である。
【図１３】角形容器用の本考案の実施例を示す外観斜視図である。
【図１４】本考案の丸形容器の実施例を示す外観斜視図である。
【図１５】本考案の角形容器の実施例を示す外観斜視図である。
【符号の説明】
【００１１】１  容器ホルダー
２  筒状ベルト
３  ３ａ、３ｂ把持具
４  曲折部
５  ５ａ、５ｂ貫通孔
６  ６ａ、６ｂ熱圧着部
７  ７ａ、７ｂ切欠部
８  組合せ案内矢印（点線は潜らせ個所）
９  筒状ベルトに加工前の平板シート
【図１】
0003148177.tif 000003
【図２】
0003148177.tif 000004
【図３】
0003148177.tif 000005
【図４】
0003148177.tif 000006
【図５】
0003148177.tif 000007
【図６】
0003148177.tif 000008
【図７】
0003148177.tif 000009
【図８】
0003148177.tif 000010
【図９】
0003148177.tif 000011
【図１０】
0003148177.tif 000012
【図１１】
0003148177.tif 000013
【図１２】
0003148177.tif 000014
【図１３】
0003148177.tif 000015
【図１４】
0003148177.tif 000016
【図１５】
0003148177.tif 000017
(57)【要約】【課題】  温熱効果をもつカイロと、磁気効果をもつ磁石を組み合わせることで、より良い相乗効果が出せるような、身体のこり、筋肉痛の緩和等を目的とした温熱磁気用品の提供。【解決手段】  カイロに貼り付け型使い捨てカイロを採用し、これにフェライト磁石を取り付けて一体化することにより、温熱と変動磁場様に変化する磁気との相乗作用効果がだせるようにして解決した。【選択図】図１
0003148175.tif 000002
【実用新案登録請求の範囲】
【請求項１】
身体に着用した肌着等に貼り付けて使用する貼り付け型使い捨てカイロにおいて、使用時貼り付ける接触面にフェライト磁石を取り付け、一体化したことを特徴とする貼り付け型使い捨てカイロ。
【考案の詳細な説明】
【技術分野】
【０００１】  本考案は、保温療法に使用する温熱用品に関するものである。
【背景技術】
【０００２】  身体のこり、筋肉痛の緩和等を目的とした用品として、熱による温熱効果を利用したものまた、磁石による磁気効果を利用したもの等多種類の方式のものがある。
【考案の開示】
【考案が解決しようとする課題】
【０００３】  本考案は、このような多種類の方式のうち、酸化反応の反応熱により温熱効果があるカイロと磁気効果がある永久磁石とを組み合わせて、より良い相乗効果が出せるようにした温熱磁気用品の提供。
本考案は、以上のことを課題とする。
【課題を解決しようとするための手段】
【０００４】  本考案は、この課題に対しカイロに、貼り付け型使い捨てカイロを採用し、使用時貼り付ける接触面側に永久磁石であるフェライト磁石を取り付けて一体化し、温熱と変動磁場様に変化する磁気の相乗作用、効果が出るようにして課題を解決した。
【考案の効果】
【０００５】  本考案の使用に当っては、当該貼り付け型使い捨てカイロを磁石取り付け面にある貼り付け用テープにより、身体に着用している肌着等の位置を決めたヶ所に貼り付け、固定する。
この状態で、該カイロ本体よりの酸化反応熱による温熱と、永久磁石であるフェライト磁石の定常磁場の磁気が、合わさって相乗作用として貼り付けヶ所に働いている。
また、これに身体を動かすことにより一段の効果が作用する。
それは、該カイロは肌着等に貼りついた状態にあり、身体、手足を動かす日常動作により、肌着等が身体表面上で微妙に二次元、三次元の動きをし、この小さな動きに対する該カイロの温熱変化はほとんどないが、同一の動きをしている該フェライト磁石はこの微妙な動きに反応し、それまでの永久磁石による定常磁場から磁力の方向等が変わる変動磁場状態になり、結果、より動きのある磁気作用が加わることになる。
【考案を実施するための最良の形態】
【０００６】  以下、本考案の実施の形態を説明する。
貼り付け型使い捨てカイロ１において、使用時貼り付ける接触面２側にフェライト磁石４を取り付け一体化する。
本考案は、以上の構成よりなっている。
本考案を使用するときは、着用している肌着等の上からこり等の部位の位置を決めて、当該カイロ１の貼り付け用テープ３を肌着等の貼り付け面５に押し付け取り付ける。
フェライト磁石４を付けた該カイロ１を肌着等の貼り付け面５の目的の位置に取り付けることが本案の第一段階で、この状態で貼り付けヶ所の部位に対しては、該カイロ１から温熱、及び、フェライト磁石４から磁気が作用している。
次いで、次の段階すなわち、これに身体を動かす等の日常の動作が加わると、身体の肌表面の動きと肌着等の貼り付け面５の動きにずれが生じ、温熱作用はほとんど変わらないが、当該磁石４はこの微妙な動きに対応し、磁場の状態が永久磁石による定常磁場状態から磁力の方向等が変わる変動磁場状態になり、より動きのある磁気が目的とする部位に作用することになる。
従って、身体、手足の動いている間は肌着等の貼り付け面５も相対的に動き、これと一体となっている該磁石４も動き、結果として変動磁場様の磁気作用が続くことになる。【０００７】  本考案の使用開始から使用後の流れについて、
通常、酸化反応の反応熱を利用した本案のような温熱用品は、使用を開始して一定時間経過後は反応が終わり、廃棄処分となる。
本考案のフェライト磁石付き貼り付け型使い捨てカイロにおいても、当然貼り付け型使い捨てカイロ１の部分は一定時間の使用後は同じく廃棄処分となるが、フェライト磁石４は永久磁石のため単独で、また、本考案の新製品の部品として繰り返し使用可能な素材となる。
従って、この使用可能な素材の回収システムを特定することにより、資源の再利用をすることができる。
【図面の簡単な説明】
【０００８】
【図１】本考案の使用時貼り付ける接触面を上にした状態の斜視図
【図２】本考案を、背中部に貼り付けた使用状態を示す一部破断した斜視図
【符号の説明】
【０００９】  １  貼り付け型使い捨てカイロ
２  使用時貼り付ける接触面
３  貼り付け用テープ
４  フェライト磁石
５  肌着等の貼り付け面
【図１】
0003148175.tif 000003
【図２】
0003148175.tif 000004
(57)【要約】      （修正有）【課題】陰のう及び陰茎の股間周辺の皮膚との接触による股間の蒸れ、細菌性皮膚疾患の予防並びに不快感を軽減させる下着を提供する。【解決手段】高機能男性用下着は、従来のパンツ類の前面の内側に布を設け、布の中央下部に縦の切れ目をつくり、この布の切れ目から陰のう及び陰茎を出し、前側面の布との間に位置させ、周辺皮膚と布で区分することで、蒸れを防ぎ、細菌性皮膚疾患を予防し快適感を得る。【選択図】図１
0003148179.tif 000002
【実用新案登録請求の範囲】
【請求項１】
男性下着のパンツ類の前面の内側に前面同程度の大きさの布を設け、布の伸縮性を利用し、布の下部中央に、縦に約５ｃｍから１０ｃｍの切れ目を入れる。布の縁は両側辺下部以外の上辺部、下辺部、両側辺上部をそれぞれパンツの前面内側に縫い合わせる。縫い合わせた布の切れ目から陰のう、陰茎部を出し、設けた布とパンツの前側布との間に置くことにより、蒸れを防止し、細菌性皮膚疾患を防ぎ、快適感のある高機能な特徴をもつ男性下着。
【考案の詳細な説明】
【技術分野】
【０００１】  本考案はパンツ類の前部内側に布を設け、布の中央下部の縦の切れ目を入れ、陰のう部及び陰茎部を切れ目から出し、布で区切ることにより、周辺皮膚への接触を防ぎ、蒸れを防止する高機能の男性用下着である。
【背景技術】
【０００２】  従来のパンツは、穿いた時に陰のう部、陰茎部が股間皮膚に接触するため蒸れる。
【考案の開示】
【考案が解決しようとする課題】
【０００３】  従来のパンツは、陰のう部、陰茎部が股間の皮膚に接触し蒸れるため不快感があり、皮膚病に罹りやすいためこれを解決する。
【課題を解決するための手段】
【０００４】  本考案はパンツの前面内側に一枚の布を設け、設けた布の前部下部に縦の切れ目を入れ、陰のう及び陰茎を縦の切れ目から出し、パンツの前面布との間に置くことにより、股間周辺の皮膚との接触を防ぎ、蒸れを防ぐことにより問題点を解決している。
【考案の効果】
【０００５】  本考案は陰のう、陰茎部を布で股間周辺の皮膚とを区切ることにより、蒸れを防止し、不快感を無くすとともに細菌による皮膚疾患を防ぐことに効果がある。
【考案を実施するための最良の形態】
【０００６】  布をパンツ類の前面部と同程度の大きさに切断し、その布の縁部をパンツ内側前部の上辺部、両側面上部、下部にそれぞれを縫い合わせる。両側面下部は手を差し入れるために縫わない。
布の中央下部に縦約５ｃｍから１０ｃｍの切れ目を入れ、切れ目を入れたところは糸をからげ、ほつれないようにする。
中央下部切れ目より陰のう部、陰茎部を出し、パンツの前側布との間に位置させる。
この布により、陰のう部、陰茎部が周辺皮膚と区切られるため蒸れを防ぎ
不快感を和らげ、皮膚疾患を防ぐことに効果がある。
【実施例】
【０００７】  以下、添付図面に従って一実施例を説明する。
図面１はパンツ類の前面部の内側に縫い合わせる布である。
辺１、２、３、６はパンツのそれぞれ辺Ａ，Ｂ、Ｃ、Ｆと縫い合わせる。
７は縦約５ｃｍから１０ｃｍの長さに切れ目を入れ、切れ目は、ほつれないように糸をからげる。
【産業上の利用可能性】
【０００８】  一般の成人男性下着として股間の蒸れを防止し、皮膚疾患を予防し、快適感を得る高機能下着として産業上の利用可能性はある。
【図面の簡単な説明】
【０００９】
【図１】本考案の縫い合わせる布の正面図である。
【図２】本男性用蒸れ防止高機能下着の前面図である
【符号の説明】
【００１０】１  Ａ辺への縫い合せ辺
２  Ｂ辺への縫い合せ辺
３  Ｃ辺への縫い合せ辺
６  Ｆ辺への縫い合せ辺
７  切れ目
【図１】
0003148179.tif 000003
【図２】
0003148179.tif 000004
(57)【要約】      （修正有）【課題】階段及び上り框に、イボ状の突起を付けてたすべり止めを提供する。【解決手段】１はすべり止め本体で耐久性ゴム・ビニール等適宜素材にて形成されたもの。２はすべり止めの溝状突起。３は足裏刺激用イボ状突起。４は３の保護とすべり止めのための山形突起。５は階段及び上り框に取り付けるための両面粘着テープ。６は階段及び上り框。すべり止め本体１の上に、２の溝と３の足裏刺激用のイボを付けることで健康増進に役立つものである。【選択図】図１
0003148782.tif 000002
【実用新案登録請求の範囲】
【考案の詳細な説明】
【技術分野】
【０００１】  本考案は、階段及び上り框のすべり止めに、イボ状の突起を付けたものである。
【背景技術】
【０００２】  今までのすべり止めは、溝が付いているだけである。
また、イボ付きで足裏を刺激するものは別の器具が使われていた。
【考案の開示】
【考案が解決しようとする課題】
【０００３】  足裏を刺激する器具ものとしては、従来から「イボ付き草履」、「イボ付き竹踏み」などがあるが、このすべり止めは、従来器具と一体化することが可能になり、前述の欠点を解決しようとするものである。
【課題を解決するための手段】
【０００４】  本考案は、すべり止めの「溝」と、足裏を刺激する「イボ状の突起」を、同一の器具の表面に配置することにより、問題点を解決している。
【考案の効果】
【０００５】  上述の様に、本考案は階段及び上り框のすべり止め効果と、足裏の刺激を同時に行うので、他の器具を使用することなく、健康増進に役立つものである。
【考案を実施するための最良の形態】
【０００６】
0003148782.tif 000003
起とイボ状突起を配置する。
【実施例】
【０００７】  以下、添付図面に従って一定実施例を説明する。１はすべり止め本体で耐久性ゴム・ビニール等適宜素材にて形成されたもの。２はすべり止めの溝状突起。３は足裏刺激用イボ状突起。４は３の保護とすべり止めのための山形突起。５は階段及び上り框に取り付けるための両面粘着テープ。６は階段及び上り框。
【図面の簡単な説明】
【０００８】
【図１】本考案のすべり止めの断面図である。
【図２】本考案のすべり止めの平面図である。
【符号の説明】
【０００９】    １  すべり止めの本体
２  すべり止め溝状突起
３  足裏刺激用イボ状突起
４  ３の保護とすべり止めのための山形突起
５  両面粘着テープ
６  階段又は上り框
【図１】
0003148782.tif 000004
【図２】
0003148782.tif 000005
【手続補正書】
【提出日】平成20年8月27日(2008.8.27)
【手続補正１】
【補正対象書類名】実用新案登録請求の範囲
【補正対象項目名】全文
【補正方法】変更
【補正の内容】
【実用新案登録請求の範囲】
【請求項１】
階段及び上り框のすべり止めにイボ状の突起を付けて足裏刺激により健康増進に役立つものである。
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
階段及び上り框のすべり止めにイボ状の突起を付けたことを特徴とする足裏刺激すべり止め。
(57)【要約】      （修正有）【課題】めんこあそびを子供に伝承するに役立ち、それ自体も楽しく遊べる、めんこあそび玩具を提供する。【解決手段】人形型に切断した本体と、めんこ２を投げるためのちょうつがいで上下に動く右手３を備え、右手の先が下に来た時反転装置４の針金７にぶつかり、めんこの下部につながっている針金の先端部が動きめんこ５を押し上げ、ひっくり返す仕組とする。【選択図】図１
0003148790.tif 000002
【実用新案登録請求の範囲】
【請求項１】
日本男児伝統のあそびとされる「めんこあそび」が残念ながら終焉を迎えている。
そこでそのおもしろさを体験したり、その復活を願い本玩具を製作した。
合板（厚さ１０ｍｍほど）を人形型に切断し本体を作り、右手はめんこを投げる為、ちょうつがいで上下に動くようになっている。右手の先が下に来た時、反転装置の針金にぶつかり、めんこの下部につながっている針金先端部が同時に動きめんこを押し上げ、ひっくり返すものです。（てこの原理）
時々失敗する事もありかえっておもしろい。本玩具はめんこあそびの再現玩具である。
【考案の詳細な説明】
【技術分野】
【０００１】  本考案は右手の振り落ろす衝撃でてこの原理でめんこが反転する。つまり右手先が側面から見ると９０°に折り曲げた針金が片方は右手先に近く、もう片方はめんこの下部に設置され、右手により衝撃をうけた際めんこ下部の針金も同時に動きめんこを押し上げひっくり返す構造となっている。
【背景技術】
【０００２】  めんこあそびをする光景はみられなくなり寂しいので本玩具を作った。又右手の動きのみではめんこは反転しないので反転装置の製作を行なった。
【考案が解決しようとする課題】
【０００３】  本玩具で一連のめんこあそびを知っていただき、すたれゆくめんこ文化を継承したい。
子供達にブームが起きれば非行防止に寄与する。
【課題を解決するための手段】
【０００４】  めんこ復活のため様々なめんこ単体等は市場にもあるが、めんこあそびをする玩具そのものは無く、技術的にはシンプルながら、めんこの打撃音もあり真に迫っている。
【考案の効果】
【０００５】  手軽にあそべて楽しい。ルールを作り数人であそぶとなおさら楽しい。
【考案を実施するための最良の形態】
【０００６】  この装置を用い様々な形の物（例えば大人、少女など）を作るとおもしろい。又右手の衝撃パワーを他の動きに連動させると楽しい。
【実施例】
【０００７】  ２人であそぶ場合交互に１回づつ投げあいそれぞれ１０回ほど投下し、反転枚数で勝負すると熱が入り楽しい。
【産業上の利用可能性】
【０００８】  引力、重力によるエネルギーは無限です。ガソリンや電力に頼る現代の発想転換思想に寄与する。
【図面の簡単な説明】
【０００９】
【図１】本玩具の正面図である。
【図２】反転装置の側面図である。
【符号の説明】
【００１０】１  玩具本体
２  投下めんこ（市販品）
３  上下する右手
４  反転装置
５  反転されるめんこ（市販品）
６  ちょうつがい
７  反転させるための針金
【図１】
0003148790.tif 000003
【図２】
0003148790.tif 000004
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
人形型に切断した本体と、めんこを投げるためのちょうつがいで上下に動く右手を備え、右手の先が下に来た時反転装置の針金にぶつかり、めんこの下部につながっている針金の先端部が動きめんこを押し上げ、ひっくり返す仕組の人形。
(57)【要約】      （修正有）【課題】寒さ対策ができ、ゴルフプレーにも支障が無い体温飛散防止着衣を提供する。【解決手段】軽くて、ガサ付かず、５回程度のラウンドに耐え、身体の体温が飛散しにくい紙布素材を用いて肌着の上に着用でき、背中面の着丈は腰ぐらい長くして体温の熱の飛散を少なく、前部をジッパー留めにして着脱を容易にすることで着用していても気にならず、楽しいゴルフプレーに役立つ。【選択図】図２
0003148786.tif 000002
【実用新案登録請求の範囲】
【請求項１】
本考案は、冬季に出掛けて行うスポーツ、ゴルフ  プレーに興じていると寒さで身体が冷え込み楽しい筈の時間が苦痛になる、そこで、紙布素材を用いた防寒用で肌着の上に着用して身体の体温の飛散を少なく蓄熱保温ができ、着用していることが外見から判らずスイング動作にも支障がなく、寒さ対策ができるところを特徴とする体温保持着衣。
【考案の詳細な説明】
【技術分野】
【０００１】  本考案は、冬季に於いてのゴルフ  プレーは寒さ対策が不可欠で身体の体温の熱を飛散させないよう肌着の上に着用し体温飛散防止着衣に関するものである。
【背景技術】
【０００２】  冬季に於いてのゴルフ  プレーは、寒さから体温が奪われ、プレーに集中できず楽しさも半減する。
【考案の開示】
【考案が解決しようとする課題】
【０００３】  気温が低下すると、余分な上着を着用し寒さから身体を守ろうとするが、厚着になるとゴルフ  プレーの動作に支障がでる、そこで前述の課題を解決しようとするものである。
【課題を解決するための手段】
【０００４】  本考案の体温飛散防止着衣は、軽量で、ガサ付かず、５回程度のラウンドに耐え、身体の体温が飛散しにくい紙布素材を用い、肌着の上に着用できるよう余裕をもたせ、背中面の着丈は腰ぐらい長く、袖なし、前部をジッパー（登録商標）留めができるよう裁断、縫製し、着用することにより課題を解決している。
【考案の効果】
【０００５】  上述のように、紙布素材を用いていることで、軽量でかさばらず、着用していることが気にならず、身体の体温の飛散を少なくして暖かく感じることでゴルフ  プレーに集中でき、スコア  アップにつながる。
【考案を実施するための最良の形態】
【０００６】  本考案に係る体湿飛散防止着衣は、体温の熱を飛散させにくい、外気を通しにくい紙布素材で、軽量、ガサ付かず、袖なし、背中面の着丈は腰までが望ましく、前面はジッパー（登録商標）留めにする。
【実施例】
【０００７】  以下、添付図面に従って一実施例を説明する。４は体温飛散防止着衣の前身頃と後身頃を一体にした型紙（図１）紙布素材を二枚重ねして３を（わに裁つ）ように型紙を置き裁断する、裁断箇所は、縁取り処理し、体温飛散防止着衣４の前身頃の前立て２にジッパー（登録商標）５を取り付ける、１と１ａを縫い合わせする。（図２）の正面図になる。
【図面の簡単な説明】
【０００８】
【図１】本考案の体温飛散防止着衣の片側平面図である。
【図２】本考案の体温飛散防止着衣の正面図である。
【符号の説明】
【０００９】１  身頃の肩線
２  前立て
３  わに裁つ（縫い目が無いこと）
４  体温飛散防止着衣の身頃
５  ジッパー（登録商標）
【図１】
0003148786.tif 000003
【図２】
0003148786.tif 000004
【手続補正書】
【提出日】平成20年9月22日(2008.9.22)
【手続補正１】
【補正対象書類名】実用新案登録請求の範囲
【補正対象項目名】全文
【補正方法】変更
【補正の内容】
【実用新案登録請求の範囲】
【請求項１】
体温を逃がさない紙布（和紙のような破れにくい紙）素材を用い、襟なし、袖なしで着丈は腰までとし、肌着の上に身につけジッパ−（登録商標）留めで外気を通さず、体温を飛散させにくいところを特徴としたチョッキ式の体温飛散防止着衣。
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
体温を逃がさない紙布素材を用い、襟なし、袖なしで着丈は腰までとし、肌着の上に身につけジッパ−留めで外気を通さず、体温を飛散させにくいところを特徴としたチョッキ式の体温飛散防止着衣。